(57)【特許請求の範囲】
【請求項１】
底部が開口した筐体と、
該筐体の一端寄り両壁に回転自在に枢支されたロール状のブラシと、
前記筐体内のブラシを除いた他端側に形成されたダスト室と、
該ダスト室の開口部を開閉自在とする蓋と、
前記蓋体の上部内面の一端寄りに設けられ、前記ブラシが所定の回転方向に回転するときに該ブラシに付着したゴミをかき取り、該ブラシが所定の回転方向とは逆方向に回転しようとするときには該ブラシの回転を阻止するゴミかき取り機構と、
を備え、
前記ゴミかき取り機構は、ゴミかき取り部及びストッパ部を有するゴミかき取り具と、このゴミかき取り具を前記筐体内の所定位置に配置させ、前記ゴミかき取り具を前記ブラシに向けて常時付勢するバネを有する位置決め部材とから構成され、
前記ブラシが前記所定の回転方向とは逆回転しようとした場合、前記ストッパ部に対して逆目方向である前記ブラシの毛が前記ストッパ部の端面を押圧し、その押圧力が前記ゴミかき取り具を押圧する前記バネの付勢力より勝る場合、前記ゴミかき取り具が前記バネの付勢方向とは反対方向に移動することにより、前記ゴミかき取り具の前記ゴミかき取り部が所定の距離だけ前記ブラシから離れることを特徴とする清掃装置。
【請求項２】
前記ゴミかき取り具は、断面が略Ｌ字形状で、一片は先端が櫛歯状の前記ゴミかき取り部であり、もう一片は前記ストッパ部であり、
前記ブラシが前記所定の回転方向に回転するときに、前記ゴミかき取り部が前記ブラシに付着したゴミを該ブラシから分離させるとともに、
前記ブラシが前記所定の回転方向とは逆方向に回転しようとするときには、前記ブラシの毛が前記ストッパ部に対して逆目となって前記ストッパ部に引っかかり、前記ブラシの回転が阻止されることを特徴とする請求項１記載の清掃装置。
【請求項３】
前記ゴミかき取り具のゴミかき取り部の先端部分が、前記ブラシの回転中心より前記バネ設置側で前記ブラシの回転中心の略水平位置に配置され、前記ゴミかき取り具のストッパ部の先端部分が、前記ブラシの回転中心より前記バネ設置側で前記ブラシの回転中心の上方略垂直位置から略水平位置の間に配置させられていることを特徴とする請求項２記載の清掃装置。
【請求項４】
前記ゴミかき取り具の前記ゴミかき取り部と前記ストッパ部とがなす断面角度が略９０°〜１２０°で、前記ゴミかき取り部と前記ストッパ部のそれぞれが前記ブラシの略接線方向に前記ブラシと接していることを特徴とする請求項２又は３に記載の清掃装置。
【請求項５】
前記ゴミかき取り具は、断面が略Ｌ字形状で、一方の端部が前記ゴミかき取り部であり、屈曲部が前記ストッパ部であり、
前記ブラシが前記所定の回転方向に回転するときに、前記ゴミかき取り部が前記ブラシに付着したゴミを該ブラシから分離させるとともに、
前記ブラシが前記所定の回転方向とは逆方向に回転しようとするときには、前記ブラシの毛が前記ストッパ部に対して逆目となって前記ストッパ部に引っかかり、前記ブラシの回転が阻止されることを特徴とする請求項１記載の清掃装置。
【請求項６】
前記請求項１〜５のいずれかに記載の清掃装置を、空気の流れの途中に設置された塵埃を除去するフィルタに接触するように配置して構成したことを特徴とするフィルタ清掃装置。
【請求項７】
室内機本体に設けられた吸込口と、
前記室内機本体の内部に設けられ、前記吸込口から前記室内機本体の内部に入る室内空気と冷凍サイクルの冷媒とを熱交換させる熱交換器と、
前記吸込口と前記熱交換器との間に設けられ、前記室内空気の塵埃を除去するフィルタと、
このフィルタに接触するように配置され、前記フィルタに付着したゴミを取り除くことを特徴とする請求項１〜５のいずれかに記載の空気調和機。
【請求項８】
前記清掃装置に対して前記フィルタが移動することを特徴とする請求項７に記載の空気調和機。
【発明の詳細な説明】
【技術分野】
【０００１】
この発明は、ロール状のブラシを有する清掃装置、フィルタ清掃装置並びに空気調和機、特にロール状のブラシの逆回転防止に関するものである。
【背景技術】
【０００２】
従来の清掃装置は、水平回転軸線を中心として回転可能なように支持された回転ブラシと、その回転ブラシを回転駆動する駆動車輪と、その回転ブラシの回転により掃き上げられた塵埃を収容する塵埃収容部と、回転ブラシの外周にほぼ沿い、下端縁が清掃対象面に臨む掃上用傾斜面を形成する傾斜面形成部と、塵埃収容部の上方に開閉自在に設けられ、閉じた状態で回転ブラシを梳く櫛状のゴミ掻き取り部材を有する開閉蓋とを備えて構成されている。
そして、清掃装置を清掃対象面上に載置すると、回転ブラシの下端部が清掃対象面に接し、この状態で清掃装置を前進させると、駆動車輪が清掃対象面上を転動するに従い、回転ブラシが反時計回りに回転し、回転ブラシの回転により清掃対象面上の塵埃は傾斜面形成部の掃上用傾斜面に案内されつつ掃き上げられ、回転ブラシの回転による遠心力と、櫛状のゴミ掻き取り部材により回転ブラシが梳かれることによる回転ブラシから塵埃が分離され、回転ブラシの上部後方に通じる塵埃収容部に収容されるようにしている（例えば、特許文献１参照）。
【０００３】
【特許文献１】特開２００３−３２０３２２号公報（第２頁、図１）
【発明の開示】
【発明が解決しようとする課題】
【０００４】
従来の清掃装置は、回転ブラシの下端部が清掃対象面に接した状態で清掃装置を後進させると回転ブラシが時計回りに逆回転し、回転ブラシに付着した塵埃が逆流して外に出てしまうという問題があった。
【０００５】
本発明は上記のような課題を解決するためになされたもので、ロール状のブラシが逆回転せず、かき取ったゴミが、ダスト室内に落ちやすい安価な清掃装置、フィルタ清掃装置並びに空気調和機を得ることを目的とする。
【課題を解決するための手段】
【０００６】
本発明に係る清掃装置は、底部が開口した筐体と、該筐体の一端寄り両壁に回転自在に枢支されたロール状のブラシと、前記筐体内のブラシを除いた他端側に形成されたダスト室と、該ダスト室の開口部を開閉自在とする蓋と、前記蓋体の上部内面の一端寄りに設けられ、前記ブラシが所定の回転方向に回転するときに該ブラシに付着したゴミをかき取り、該ブラシが所定の回転方向とは逆方向に回転しようとするときには該ブラシの回転を阻止するゴミかき取り機構と、を備え、前記ゴミかき取り機構は、ゴミかき取り部及びストッパ部を有するゴミかき取り具と、このゴミかき取り具を前記筐体内の所定位置に配置させ、前記ゴミかき取り具を前記ブラシに向けて常時付勢するバネを有する位置決め部材とから構成され、前記ブラシが前記所定の回転方向とは逆回転しようとした場合、前記ストッパ部に対して逆目方向である前記ブラシの毛が前記ストッパ部の端面を押圧し、その押圧力が前記ゴミかき取り具を押圧する前記バネの付勢力より勝る場合、前記ゴミかき取り具が前記バネの付勢方向とは反対方向に移動することにより、前記ゴミかき取り具の前記ゴミかき取り部が所定の距離だけ前記ブラシから離れるものである。
【発明の効果】
【０００７】
以上説明したように本発明に係る清掃装置は、底部が開口した筐体と、該筐体の一端寄り両壁に回転自在に枢支されたロール状のブラシと、前記筐体内のブラシを除いた他端側に形成されたダスト室と、該ダスト室の開口部を開閉自在とする蓋とを備え、前記筐体の上部内面の一端寄りに設けられたゴミかき取り機構が前記ブラシが所定の回転方向に回転するときに該ブラシに付着したゴミをかき取り、該ブラシが所定の回転方向とは逆方向に回転しようとするときには該ブラシの回転を阻止するようにしたので、ブラシが所定の回転方向に回転するときに該ブラシに付着したゴミをかき取り、かき取ったゴミをダスト室に収納でき、該ブラシが所定の回転方向とは逆方向に回転しようとするときには該ブラシの回転が阻止されてブラシに付着しているゴミが外に逆流することが防止されるという効果を有する。
【発明を実施するための最良の形態】
【０００８】
実施の形態１．
図１は本発明の実施の形態１の清掃装置を示す斜視図、図２は同清掃装置を示す断面図、図３は同清掃装置のゴミをかき取って収容する状態を示す部分拡大断面図、図４は同清掃装置の逆転を防止する状態を示す部分拡大断面図、図５は同清掃装置のゴミかき取り金具と金具位置決め部材の可動筒とを示す斜視図、図６は同清掃装置のブラシの毛の順目と逆目とを示す説明図である。
図１〜図４において、本発明の実施の形態１の清掃装置１は、底部が開口した箱状の例えば、プラスチック製の筐体２の一端寄り両壁に設けた軸穴２ａにロール状のブラシ３の軸３ａを回転自在に枢支させ、筐体２の他端側をダスト室４とするように構成されている。
【０００９】
筐体２のダスト室４が形成された他端側の両壁底部寄りに蓋５の一端が回動自在に取り付けられている。その蓋５の自由端である先端に傾斜面部６が設けられている。
その傾斜面部６の両端面に凸部６ａがそれぞれ設けられ、筐体２の両側壁内面に傾斜面部６の凸部６ａと係合する凹部２ｂがそれぞれ設けられている。
そして、蓋５がダスト室４の開口部を閉鎖するように閉じられると、蓋５の傾斜面部６の両端面に設けられた凸部６ａが筐体２の両側壁内面に設けられた凹部２ｂに係合して蓋５が閉じた状態に維持される。
【００１０】
筐体２の上部内面の一端寄りに、ブラシ３が所定の回転方向に回転するときにブラシ３に付着したゴミをかき取り、ブラシ３が所定の回転方向とは逆方向に回転しようとするときにはブラシ３の回転を阻止するゴミかき取り機構１０が配設されている。
そのゴミかき取り機構１０は、断面が略Ｌ字形状で、一片にゴミかき取り部１１ａを有し、もう一片にストッパ部１１ｂを有する細長いゴミかき取り金具１１と、ゴミかき取り金具１１を筐体２内の所定位置に配置させる金具位置決め部材１２とから構成されている。
ゴミかき取り金具１１のゴミかき取り部１１ａは、先端が櫛歯状に形成されている。また、ゴミかき取り金具１１のストッパ部１１ｂは端面が平面状に形成されている。
【００１１】
その金具位置決め部材１２は、筐体２の上部内面に固定され、側面に固定筒１４を取り付けた固定部材１３と、固定筒１４の外周に摺動自在に設けられ、ゴミかき取り金具１１に取り付けられた一端側中心にロッド１６を有する可動筒１５と、一端が固定筒１４の内周に設けられた環状係止凸部１４ａに係止され、他端がゴミかき取り金具１１を押圧するように図中Ａ方向に常時付勢するコイルバネ１７とから構成されている。
そして、コイルバネ１７により図中Ａ方向に付勢された金具位置決め部材１２の可動筒１５と一体のゴミかき取り金具１１のゴミかき取り部１１ａの櫛歯状の先端は図２及び図３に示すようにロール状のブラシ３の略接線方向を向いて圧接すると共に、ゴミかき取り金具１１のストッパ部１１ｂもブラシ３の接線方向を向いて当接している。
【００１２】
なお、固定筒１４の外周に係止ツメ１４ｂが設けられ、可動筒１５に係止穴１５ａが設けられ、固定筒１４の係止ツメ１４ｂが可動筒１５の係止穴１５ａに係合させられることにより、組み立て途中でコイルバネ１７にてゴミかき取り金具１１が飛び出さないように構成されている。更に、可動筒１５の係止穴１５ａは可動筒１５と一体のゴミかき取り金具１１がロール状のブラシ３から離れて可動できるように長穴に形成されている。
【００１３】
また、ゴミかき取り金具１１に対する可動筒１５の取り付けは、ゴミかき取り金具１１が金属であり、可動筒１５は合成樹脂であるので、図５に示すように、断面が略Ｌ字形状のゴミかき取り金具１１のゴミかき取り部１１ａの折曲部側に複数の係止穴１１ｃを設け、可動筒１５の一端側に複数の係合片１５ａを設け、ゴミかき取り部１１ａの複数の係止穴１１ｂに可動筒１５の複数の係合片１５ａを係合させて両者を一体に形成している。
【００１４】
さらに、ブラシ３の表面の毛はナイロン又はポリエステルで形成され、表面の接線に対して直立しておらず、順目或いは逆目となるように植設されている。ここで順目又は逆目はブラシ３の回転方向との関係で決定されるもので、図６に示すように、ストッパ部１１ｂがロール状のブラシ１の接線上に位置していて、ストッパ部１１ｂの先端のブラシ回転方向手前にブラシ１の毛が立つている場合に、ブラシ１の毛がストッパ部１１ｂの先端に近づくブラシ回転方向に沿って、ブラシ１の毛からストッパ部１１ｂに至る角度が鋭角であれば、ブラシ１の毛は逆目であり、鈍角であれば順目であるということになる。
【００１５】
次に、本発明の実施の形態１の清掃装置の動作を説明する。
本発明の実施の形態１の清掃装置１を被清掃面に載置すると、清掃装置１のブラシ３の下端部が被清掃面に接する。この状態で清掃装置１を前進させると、図２の矢印に示すようにブラシ３が反時計回りに回転する。このとき、ブラシ３の毛はゴミかき取り金具１
１のゴミかき取り部１１ａに対してブラシ３の毛は順目となり、ストッパ部２ｂに対しても順目となっている。
従って、ブラシ３の反時計回りの回転により、被清掃面上のゴミ７は回転するブラシ３に付着して移動し、その後にブラシ３がゴミかき取り部１１ａにより梳かれることにより、ブラシ３からゴミ７が分離され、ブラシ３の上部からダスト室４に収容される。また、ブラシ３の毛はストッパ部１１ｂに対しても順目となっているため、ブラシ３はストッパ部１１ｂによって抵抗を受けることなく回転を続ける。
【００１６】
こうして、ダスト室４にゴミ７が溜まると、そのゴミ７を外部に捨てる場合、蓋５の傾斜面部６に手をかけて下に引っ張り、蓋５の凸部６ａと筐体２の凹部２ｂとの係合を解除させると、蓋５は回動して開く。なお、蓋５の回転軸がロール状のブラシ３の回転軸と同じとなるようにしてもよく、また蓋５はスライドして開くようにしてもよい。
【００１７】
次に、清掃装置１を後進させてブラシ３が時計回りに回転しようとした場合には、図４に示すように、ゴミかき取り金具１１のストッパ部１１ｂに対してブラシ３の毛は逆目となるため、ブラシ３の毛がストッパ部１１ｂの端面に引っかかり、ブラシ３を時計回りに回転させることはできない。
また、ブラシ３を強く時計回りに回転しようとすると、ブラシ３の逆目方向の毛がストッパ部１１ｂの端面を押圧し、その押圧力がゴミかき取り金具１１を押圧するコイルバネ１７の付勢力より勝ると、ゴミかき取り金具１１が可動筒１５と一緒に図４中のコイルバネ１７の付勢方向とは反対方向に少し回動しながら移動することにより、ゴミかき取り金具１１のゴミかき取り部１１ａが図４に示すように移動距離Ｅだけブラシ３から離れ、ゴミかき取り部１１ａとブラシ３との間に隙間ができる。
【００１８】
以上のように、ブラシ３が通常とは異なる時計回りに回転しようとした場合に、ゴミかき取り金具１１のストッパ部１１ｂに対してブラシ３の毛が逆目となるようにしているので、ブラシ３の毛がストッパ部１１ｂの端面に引っかかり、ブラシ３を時計回りに回転せず、即ち逆回転せず、ダスト室３に溜まったゴミ７が外に逆流しない安価な清掃装置を得ることができる。
また、ブラシ３を強く時計回りに回転しようとすると、ブラシ３の逆目方向の毛がストッパ部１１ｂの端面を押圧し、ゴミかき取り金具１１がコイルバネ１７の付勢方向とは反対方向に少し回動しながら移動してゴミかき取り金具１１のゴミかき取り部１１ａがブラシ３から離れることにより、ゴミかき取り部１１ａとブラシ３とに付着していたゴミ７がブラシ１から離れ、ダスト室４内に落ちやすい清掃装置を得ることができる。
【００１９】
実施の形態２．
図７は本発明の実施の形態２の清掃装置を示す断面図、図８は同清掃装置のストッパ部とブラシの毛とがなす角度を説明するための断面図である。
この実施の形態２は、ゴミかき取り金具１１のストッパ部１１ｂがロール状のブラシ３の回転中心よりバネ設置側である右側で垂直から水平の範囲に位置すればブラシの逆回転を防止できる形態を示している。
この実施の形態２において実施の形態１と同様の構成は、実施の形態１と同一符号を付して重複した構成の説明を省略する。
この実施の形態２は、ゴミかき取り金具１１のストッパ部１１ｂが、図７の（ａ）に示すようにブラシ３の回転中心よりバネ設置側である右側で上方垂直位置にある場合と、図７の（ｂ）に示すようにブラシ３の回転中心より右側で水平位置にある場合のどちらもブラシ３の逆回転を防止できるものとしている。
【００２０】
図７の（ａ）に示すものは、実施の形態１と同様に、ブラシ３が通常とは異なる時計回りに回転しようとした場合に、ゴミかき取り金具１１のストッパ部１１ｂに対してブラシ３の毛が逆目となり、ブラシ３の毛がストッパ部１１ｂに引っかかり、ブラシ３を時計回りに回転、即ち逆回転を防止する。
また、ブラシ３を強く時計回りに回転しようとすると、ブラシ３の逆目方向の毛がストッパ部１１ｂの端面を押圧し、ゴミかき取り金具１１がコイルバネ１７の付勢方向とは反対方向に少し回動しながら移動してゴミかき取り金具１１のゴミかき取り部１１ａがブラシ３から離れる。
【００２１】
図７の（ｂ）に示すものは、断面が略Ｌ字形状のゴミかき取り金具１１のストッパ部１１ｂがブラシ３の回転中心より右側で水平位置より少し上にあり、ゴミかき取り部１１ａがブラシ３の回転中心より右側で水平位置より少し下にある場合である。
この場合、ブラシ３が反時計回りに回転するとき、ブラシ３の毛はゴミかき取り金具１１のゴミかき取り部１１ａに対してブラシ３の毛は順目となり、ストッパ部１１ｂに対しも順目となっている。
従って、ブラシ３の反時計回りの回転により、被清掃面上のゴミ１０は回転するブラシ３に付着して移動し、その後にブラシ３がゴミかき取り部１１ａにより梳かれることにより、ブラシ３からゴミ７が分離され、ブラシ３の上部からダスト室４に収容される。また、ブラシ３の毛はストッパ部１１ｂに対しても順目となっているため、ブラシ３はストッパ部１１ｂによって抵抗を受けることなく回転を続ける。
【００２２】
また、ブラシ３が通常とは異なる時計回りに回転しようとした場合に、ゴミかき取り金具１１のストッパ部１１ｂに対してブラシ３の毛が逆目となり、ブラシ３の毛がストッパ部２ｂに引っかかり、ブラシ３を時計回りに回転、即ち逆回転を防止する。
また、ブラシ３を強く時計回りに回転しようとすると、ブラシ３の逆目方向の毛がストッパ部１１ｂの端面を押圧し、ゴミかき取り金具１１がコイルバネ１７の付勢方向とは反対方向に少し回動しながら移動してゴミかき取り金具１１のゴミかき取り部１１ａがブラシ３から離れる。
このように、ゴミかき取り金具１１のストッパ部１１ｂが、図７の（ａ）、（ｂ）に示すように、ブラシ３の回転中心より右側で上方垂直位置Ｖから水平位置Ｈの範囲Ｃにある場合にはブラシ３の逆回転を防止できるものとしている。
ただ、ストッパ部１１ｂがＶの位置に近いほど時計回り時のストッパ部１１ｂの移動量Ｅが大きくなり効果が大きくなる。
【００２３】
また、図７の（ａ）に示すゴミかき取り金具１１は略Ｌ字形状で、ゴミかき取り部１１ａとストッパ部１１ｂとがなす断面角度が略９０°で、ゴミかき取り部１１ａとストッパ部１１ｂのいずれもがブラシ１の接線方向に接している。
ゴミかき取り金具１１の断面角度を９０°〜１２０°とした場合に、ストッパ部１１ｂの先端が前記断面角度が略９０°の場合と同様でブラシ３の回転中心より右側で上方垂直位置Ｖにあってブラシ１の接線方向に接しているが、ゴミかき取り部１１ａの先端が前記断面角度が９０°から１２０°へと増えるに従い、ブラシ３の回転中心より右側で水平位置Ｈから離れていくようになる。
【００２４】
このようにゴミかき取り金具１１の断面角度を９０°〜１２０°としてブラシ３を反時計回りに回転させる場合、ゴミかき取り金具１１の断面角度が９０°のときはゴミかき取り部１１ａの先端がブラシ１に接しているためゴミかき取り部１１ａによる抵抗がありブラシ１の回転に所定の回転力を要し、ゴミ７も取れるが、前記断面角度が９０°から１２０°へと増えるに従い、ブラシ３の回転中心より右側で水平位置Ｈから離れていくに従いゴミかき取り部１１ａによる抵抗が少なくなりブラシ１を回転させる回転力が小さくて済むがゴミ７の取れる量も少なくなる。
そこで、ブラシ１の回転力とゴミかき取り部１１ａによるゴミ７の取れる量との兼ね合いを考慮したゴミかき取り金具１１の最適な断面角度は１１０°ということになった。
【００２５】
以上のように、ゴミかき取り金具１１の断面角度を９０°〜１２０°としてブラシ３を反時計回りに回転させる場合、ブラシ３の回転力は異なるものの、被清掃面上のゴミ７は回転するブラシ３に付着して移動し、その後にブラシ３がゴミかき取り部１１ａにより梳かれることにより、ブラシ３からゴミ７が分離され、ブラシ３の上部からダスト室４に収容される。
また、ブラシ３を強く時計回りに回転させる場合には、ゴミかき取り金具１１のゴミかき取り部１１ａがブラシ３から離れ、ゴミ７がブラシ１から離れ易く、ダスト室４内に落ちやすい清掃装置を得ることができる。
さらに、図８に示すようにストッパ部１１ｂとブラシ３の毛のなす角度Ｆは小さくなる程、ブラシ３を時計回りに回転させようとした場合、ストッパ部１１ｂに対する抵抗が大きくなる。
【００２６】
実施の形態３．
図９は本発明の実施の形態３の清掃装置を示す部分拡大断面図、図１０は同清掃装置の逆転を防止する状態を示す部分拡大断面図である。
この実施の形態３は、実施の形態１のゴミかき取り金具１１と構成が異なるゴミかき取り金具２１を有するものである。
この実施の形態３において実施の形態１と同様の構成は、実施の形態１と同一符号を付して重複した構成の説明を省略する。
この実施の形態３のゴミかき取り金具２１も断面が略Ｌ字形状をしているが、一方の端部をゴミかき取り部２１ａとし、屈折部をストッパ部２１ｂとし、もう一方の端部を可動筒１５の一端に取り付け固定したものである。
そして、ゴミかき取り部２１ａとストッパ部２１ｂはブラシ１の接線方向に接している。
【００２７】
次に、この実施の形態３の清掃装置の動作を説明する。
図９の矢印に示すようにブラシ３が反時計回りに回転するとき、ブラシ３の毛はゴミかき取り金具２１のゴミかき取り部２１ａに対してブラシ３の毛は順目となり、ストッパ部２１ｂに対しても順目となっている。
従って、ブラシ３の反時計回りの回転により、被清掃面上のゴミ１０は、蓋５の傾斜面部６に案内されて掃き上げられ、その後にブラシ３がゴミかき取り部２１ａにより梳かれることにより、ブラシ３からゴミ７が分離され、ブラシ３の上部からダスト室４に収容される。また、ブラシ３の毛はストッパ部２１ｂに対しても順目となっているため、ブラシ３はストッパ部２１ｂによって抵抗を受けることなく回転を続ける。
【００２８】
次に、ブラシ３が時計回りに回転、即ち逆回転しようとした場合には、図１０に示すように、ゴミかき取り金具２１のストッパ部２１ｂに対してブラシ３の毛は逆目となるため、ブラシ３の毛がストッパ部２１ｂの端面に引っかかり、ブラシ３を時計回りに回転させることはできない。
また、ブラシ３を強く時計回りに回転しようとすると、ブラシ３の逆目方向の毛がストッパ部２１ｂの端面を押圧し、その押圧力がゴミかき取り金具２１を押圧するコイルバネ１６の付勢力より勝ると、ゴミかき取り金具２１が可動筒１５と一緒に図１０中のコイルバネ１６の付勢方向とは反対方向に移動することにより、ゴミかき取り金具１１のゴミかき取り部２１ａがブラシ３から離れるように移動し、ゴミかき取り部１１ａとブラシ３との間に小さな隙間ができる。
【００２９】
以上のように、ゴミかき取り金具２１を断面が略Ｌ字形状に形成し、一方の端部をゴミかき取り部２１ａとし、屈折部をストッパ部２１ｂとし、もう一方の端部を可動筒１５の一端に取り付け固定したものでも、ブラシ３が逆回転しようとした場合に、ゴミかき取り金具２１のストッパ部２１ｂに対してブラシ３の毛は逆目となるため、ブラシ３の毛がストッパ部２１ｂの端面に引っかかり、ブラシ３を逆転せず、ダスト室４に溜まったゴミ７が外に逆流しない安価な清掃装置を得ることができる。
また、ブラシ３を強く逆回転しようとすると、ブラシ３の逆目方向の毛がストッパ部２１ｂの端面を押圧し、ゴミかき取り金具２１がコイルバネ１７の付勢方向とは反対方向に移動することにより、ゴミかき取り金具１１のゴミかき取り部２１ａがブラシ３から離れることにより、ゴミ７がブラシ３から離れ、ダスト室４内に落ちやすい清掃装置を得ることができる。
上記実施の形態１〜３は、金属で形成されたゴミかき取り金具１１、２１を用いているが、合成樹脂等で形成されたゴミかき取り具を用いてもよい。
【００３０】
実施の形態４．
図１１は本発明の実施形態４のフィルタ清掃装置を示す断面図である。
本発明の実施の形態４のフィルタ清掃装置は、上記実施の形態１〜３の清掃装置を空気清浄機や換気扇等のフィルタ１８に接触するように配置してなるものである。
この実施形態４のフィルタ清掃装置では、フィルタ１８の上を清掃装置１を動かしてフィルタ１８に付着しているゴミ７を清掃装置１で取り除くことができ、ゴミ７による空気抵抗増加の少ないフィルタ１８を得ることができる。
次に、清掃装置１を前述とは逆方向に移動させた場合は、ブラシ３は逆転せずに清掃装置１が移動するために、ブラシ３に付着したゴミ７がフィルタ１８に再付着することはない。
なお、フィルタ１８が移動するようにしてもよい。
【００３１】
実施の形態５．
図１２は本発明の実施の形態５の空気調和機を示す断面図である。
この実施の形態５は上記実施の形態１〜３の清掃装置１を空気調和機の室内機２０に配置してなるものである。
この空気調和機の室内機２０は、箱形状の室内機本体２１と、室内機本体２１の前面に設けられた前面グリル２２と、室内機本体２１の上部に設けられた吸込口２３と、室内機本体２１の下部に設けられた吹出口２４と、室内機本体２１の内部の吸込口側に設けられた熱交換器２５と、室内機本体２１の内部の吹出口側に設けられた送風機２６とで主に構成されている。２７は風向偏向装置である。
【００３２】
その室内機２０の熱交換器２５と吸込口２３及び前面グリル２２の一部との間にフィルタ１８が設けられており、そのフィルタ１８と前面グリル２２との間に、清掃装置１がフィルタ１８に接触するように配置されている。そして、フィルタ１８は下方に移動した後に元の位置に戻るように構成されている。
そのフィルター１８は駆動ギヤ３８で移動自在であり、駆動ギヤ３８のフィルタ１８を挟んで反対側にはダスト室４を形成する蓋５に長手方向に延在する一体成形されたフィルター押さえリブ３７が設けられている。このフィルター押さえリブ３７にて駆動ギヤ３８でのフィルタ１８の動きを規制している。
【００３３】
また、ロール状のブラシ３のフィルタ１８を挟んで反対側にはフィルタ押さえ部品３５がフィルタ押さえ部品台３６にバネ（図示せず）などにより、フィルタ１８をブラシ３に押さえつけている。これにより、フィルタ１８が確実にブラシ３に押し付けられ、ゴミ７がダスト室４に溜めることができる。
フィルター１８は駆動ギヤ３８によって移動させられ、フィルタ１８は下方に移動した後に駆動ギヤ３８により元の位置に戻るように構成されている。
【００３４】
この空気調和機の室内機２０は、送風機２６を回転させることにより、室内の空気は、上面の吸込口２３から空気調和機の室内機２０内部に入り、熱交換器２５の上流側に設置されたフィルタ１８にて塵埃等が除去された後で熱交換器２５に導かれ、ここで冷凍サイクルの冷媒と熱交換する。熱交換された後の室内の空気は調和空気となって、送風機２６によって吹出口２４へと送風され、風向偏向装置２７により風向が調整されて室内へと吹き出される。
また、清掃装置１に対してフィルタ１８を駆動ギヤ３８によって移動することにより、フィルタ１８に付着したゴミ７を清掃装置１で除くようにしている。
次に、フィルタ１８を前述とは逆方向に駆動ギヤ３８を回転させて移動させた場合は、
清掃装置１のブラシ３は逆転せずにフィルタ１８が移動するために、ブラシ３に付着したゴミ７がフィルタ１８に再付着することはない。
なお、フィルタ１８ではなく、清掃装置１を移動させるようにしてもよい。
【００３５】
以上のように、この実施の形態５では、清掃装置１を室内機２０の前面グリル２２とフィルタ１８との間に配置してなるので、清掃装置１によりフィルタ１８に付着しているゴミ７を取り除くことができ、ゴミ７による空気抵抗増加の少ないフィルタ１８を有する空気調和機の室内機を得ることができる。
【図面の簡単な説明】
【００３６】
【図１】本発明の実施の形態１の清掃装置を示す斜視図。
【図２】同清掃装置を示す断面図。
【図３】同清掃装置のゴミを掻き取って収容する状態を示す部分拡大断面図。
【図４】同清掃装置の逆転を防止する状態を示す部分拡大断面図。
【図５】同清掃装置のゴミかき取り金具と金具位置決め部材の可動筒とを示す斜視図。
【図６】同清掃装置のブラシの毛の順目と逆目とを示す説明図。
【図７】本発明の実施の形態２の清掃装置を示す断面図。
【図８】同清掃装置のストッパ部とブラシの毛とがなす角度を説明するための断面図。
【図９】本発明の実施の形態３の清掃装置を示す部分拡大断面図。
【図１０】同清掃装置の逆転を防止する状態を示す部分拡大断面図。
【図１１】本発明の実施の形態４のフィルタ清掃装置を示す断面図。
【図１２】本発明の実施の形態５の空気調和機を示す断面図。
【符号の説明】
【００３７】
１  清掃装置、２  筐体、３  ブラシ、４  ダスト室、５  蓋、６  傾斜面部、７  ゴミ、１０  ゴミかき取り機構、１１  ゴミかき取り金具、１１ａ  ゴミかき取り部、１１ｂ  ストッパ部、１２  金具位置決め部材、１３固定部材、１４  固定筒、１５  可動筒、１６  ロッド、１７  コイルバネ。
【図１】
0004740917.tif 000002
【図２】
0004740917.tif 000003
【図３】
0004740917.tif 000004
【図４】
0004740917.tif 000005
【図５】
0004740917.tif 000006
【図６】
0004740917.tif 000007
【図７】
0004740917.tif 000008
【図８】
0004740917.tif 000009
【図９】
0004740917.tif 000010
【図１０】
0004740917.tif 000011
【図１１】
0004740917.tif 000012
【図１２】
0004740917.tif 000013